(57)【要約】【課題】使い勝手が良く、良好な使用感が得られるとともに、高いマッサージ効果を奏する美容器を提供すること。【解決手段】美容器１は、ハンドル１２、ローラーユニット２０、及びローラーユニットシャフト３０を備えている。ローラーユニット２０には、２個のローラー２７１、２７２が回転可能に設けられている。ローラーユニットシャフト３０は、ローラーユニット２０とハンドル１２との間に介在して、ハンドル１２に対してローラーユニット２０を回転可能に支持する。そして、ローラーユニットシャフト３０の軸線方向Ｐから見て、ローラーユニットシャフト３０の軸線３０３が、２個のローラー２７１、２７２の両重心Ｇ１、Ｇ２を通る仮想直線ＧＬから離れた位置にある。【選択図】図３
2017119105.tif 000002
【特許請求の範囲】
【請求項１】
ハンドルと、
２個のローラーが回転可能に設けられたローラーユニットと、
上記ローラーユニットと上記ハンドルとの間に介在して、上記ハンドルに対して上記ローラーユニットを回転可能に支持するローラーユニットシャフトと、
を備え、
上記ローラーユニットシャフトの軸線方向から見て、該ローラーユニットシャフトの軸線が、上記２個のローラーの両重心を通る仮想直線から離れた位置にある、美容器。
【請求項２】
上記ローラーユニットは、それぞれの先端に上記ローラーを回転可能に支持するとともに、先端が開くように設けられた一対のローラーシャフトを備える、請求項１に記載の美容器。
【請求項３】
上記ローラーユニットシャフトの基端側と上記ハンドルとが接続され、上記ローラーユニットシャフトの先端側と上記ローラーユニットとが接続されており、
上記一対のローラーシャフトは、同一平面上に位置しているとともに、上記ローラーユニットシャフトの軸線に対して傾斜している、請求項２に記載の美容器。
【請求項４】
上記ローラーユニットが少なくとも一対備えられる、請求項１〜３のいずれか一項に記載の美容器。
【請求項５】
上記一対のローラーユニットは、上記ハンドルの中心軸に対称に配置されている、請求項１〜４のいずれか一項に記載の美容器。
【請求項６】
上記ローラーユニットが少なくとも二対備えられる、請求項１〜５のいずれか一項に記載の美容器。
【発明の詳細な説明】
【技術分野】
【０００１】
本発明は、美容器に関する。
【背景技術】
【０００２】
従来、肌をローラーによって押圧等してマッサージ効果を奏する美容器が種々提案されている。このような美容器の例として、特許文献１には、２個のローラーを有するローラーユニットが備えられた美容器が開示されている。当該ローラーユニットにおいて、ローラーはローラーシャフトの両端にそれぞれ回転可能に支持されているとともに、ローラーユニットは、ローラーユニットシャフトを介してハンドルに回転可能に取り付けられている。そして、ローラーユニットシャフトの延長線上にローラーシャフトが位置するとともに、ローラーシャフトはローラーユニットシャフトに対して垂直になっている。かかる構成により、２個のローラーを肌面に当接させると、ローラーユニットがローラーユニットシャフトを介して肌面の面する方向に合わせて回転することとなる。これにより、ハンドルを把持した状態で手首を大きく捻ることなく、両ローラーを肌面に沿わせて転動させることができるようにしている。
【先行技術文献】
【特許文献】
【０００３】
【特許文献１】特開２０００−１７５９８４号公報
【発明の概要】
【発明が解決しようとする課題】
【０００４】
しかしながら、特許文献１に開示の構成では、上述の如く、両端にローラーを備えるローラーシャフトがローラーユニットシャフトの延長線上に位置している。そのため、進行方向において、肌面におけるローラーとの接触領域の中心位置とローラーユニットシャフトの延長線と肌面との交点位置との距離であるトレール長を確保しにくくなっている。これにより、ローラーの直進安定性が低く、ローラーを様々な方向に面する肌面に当接させた状態で滑らかに転動させにくくなっているため、使い勝手が悪く、使用感も悪化しやすい。一方、肌面に対してハンドルを十分に寝かせることにより、ローラーユニットシャフトと肌面の垂線とのなす角であるキャスター角を大きくして、トレール長を確保して直進安定性を高めることができる。しかし、この場合には、ローラーによる肌面への押圧力が低下しやすくなるため、充分なマッサージ効果が得られにくい。
【０００５】
本発明は、かかる背景に鑑みてなされたものであり、使い勝手が良く、良好な使用感が得られるとともに、高いマッサージ効果を奏する美容器を提供しようとするものである。
【課題を解決するための手段】
【０００６】
本発明の一態様は、ハンドルと、
２個のローラーが回転可能に設けられたローラーユニットと、
上記ローラーユニットと上記ハンドルとの間に介在して、上記ハンドルに対して上記ローラーユニットを回転可能に支持するローラーユニットシャフトと、
を備え、
上記ローラーユニットシャフトの軸線方向から見て、該ローラーユニットシャフトの軸線が、上記２個のローラーの両重心を通る仮想直線から離れた位置にある、美容器にある。
【発明の効果】
【０００７】
上記美容器によれば、ローラーユニットシャフトの軸線方向から見て、ローラーユニットシャフトの軸線からずれた位置にローラーの重心が位置することとなる。そのため、ローラーを肌面に当接させる際に、ハンドルを過度に寝かせてキャスター角を大きくしなくとも、トレール長を大きくできる。そのため、ローラーの直進安定性の向上が図られることから、手首を大きく捻ることなく、ローラーを様々な方向に面する肌面に沿わせて直進させやすい。これにより、使い勝手が良くなるとともに、使用感が良好となる。また、ハンドルを肌面に対して過度に寝かせる必要がないため、ローラーによる肌面への押圧力を維持することができる。その結果、高いマッサージ効果が奏される。
【０００８】
以上のように、本発明によれば、使い勝手が良く、良好な使用感が得られるとともに、高いマッサージ効果を奏する美容器を提供することができる。
【図面の簡単な説明】
【０００９】
【図１】実施例１における、美容器の上面図。
【図２】図１における、II-II位置一部断面側面図。
【図３】実施例１における、美容器の正面図。
【図４】実施例１における、ローラーユニットの分解斜視図。
【図５】図２における、V-V線位置断面図。
【図６】実施例１における、ローラーユニットのローラー及び上面カバーを外した状態の正面斜視図。
【図７】実施例１における、ローラーユニットシャフト及びワッシャの斜視図。
【図８】変形例１における、美容器１の上面図。
【図９】変形例１における、美容器１の正面図。
【図１０】変形例１における、一部断面側面図。
【図１１】実施例２における、美容器１の上面図。
【図１２】図１１における、XII-XII位置一部断面側面図。
【図１３】実施例３における、美容器１の上面図。
【図１４】図１３における、XIV-XIV位置断面図。
【発明を実施するための形態】
【００１０】
本明細書において、ローラーの重心とは、ローラーの幾何学的重心を意味するものである。
【００１１】
上記ローラーユニットは、それぞれの先端に上記ローラーを回転可能に支持するとともに、先端が開くように設けられた一対のローラーシャフトを備えることが好ましい。この場合には、ローラーの回転軸となる一対のローラーシャフトが先広がり状に配置されるため、一対のローラーによって肌面を摘み上げることができ、高いマッサージ効果を奏する。さらに、ローラーと肌面との密着性が一層高まるため、ローラーと肌面とが密着した状態が維持されるように、ローラーユニットがローラーユニットシャフトを介して回転しやすくなる。その結果、当該美容器を肌面に沿わせて動かしたときにおけるローラーの追従性が向上する。
【００１２】
上記ローラーユニットシャフトの基端側と上記ハンドルとが接続され、上記ローラーユニットシャフトの先端側と上記ローラーユニットとが接続されており、
上記一対のローラーシャフトは、同一平面上に位置しているとともに、上記ローラーユニットシャフトの軸線に対して傾斜していることが好ましい。この場合には、一対のローラーを肌面に当てた状態で、肌面に平行な方向におけるローラーユニットシャフトの先端側に動かすことにより、一対のローラーによって肌面を押圧することができる。そして、一対のローラーを肌面に平行な方向におけるローラーユニットシャフトの先端側と反対側の基端側に動かすことにより、肌面を摘み上げることができる。これにより、肌面の押圧及び摘み上げによる揉みほぐしの効果が得られ、一層高いマッサージ効果が奏される。
【００１３】
上記ローラーユニットが少なくとも一対備えられることが好ましい。この場合には、少なくとも４個のローラーが備えられ、これらのローラーが協調して肌面を揉みほぐすことができるため、一層高いマッサージ効果が奏される。
【００１４】
上記一対のローラーユニットは、上記ハンドルの中心軸に対称に配置されていることが好ましい。この場合には、ハンドルを把持した状態で各ローラーを肌面に当接させやすくなるため、使い勝手が良くなるとともに、マッサージ効果の向上が図られる。
【００１５】
上記ローラーユニットが少なくとも二対備えられることが好ましい。この場合には、少なくとも８個のローラーが協調して、肌面を揉みほぐすことができるため、一層高いマッサージ効果を奏する。
【実施例】
【００１６】
（実施例１）
上記美容器の実施例について、以下に説明する。
実施例１における美容器１は、図１、図２に示すように、ハンドル１２、ローラーユニット２０、及びローラーユニットシャフト３０を備えている。
ローラーユニット２０には、２個のローラー２７１、２７２が回転可能に設けられている。
ローラーユニットシャフト３０は、ローラーユニット２０とハンドル１２との間に介在して、ハンドル１２に対してローラーユニット２０を回転可能に支持する。
そして、図３に示すように、ローラーユニットシャフト３０の軸線方向Ｐから見て、ローラーユニットシャフト３０の軸線３０３が、２個のローラー２７１、２７２の両重心Ｇ１、Ｇ２を通る仮想直線ＧＬから離れた位置にある。
【００１７】
以下、本例の美容器１について、詳述する。
図１に示すように、美容器１は、略棒状のハンドル１２と、ハンドル１２の長手方向先端側Ｙ１に位置するローラーユニット２０とを備える。ハンドル１２は、図２に示すように、ベース体１３、第１カバー体１４及び第２カバー体１５を備える。ベース体１３の外周縁全体には、リング状のパッキン１７が一体化されて固着されている。パッキン１７上には、第１カバー体１４の開口内周縁に係合可能なリップ部１７ａが形成されている。そして、ベース体１３に第１カバー体１４及び第２カバー体１５が装着されて、パッキン１７のリップ部１７ａが第１カバー体１４の開口内周縁に圧接されることにより、第１カバー体１４と第２カバー体１５との隙間からハンドル１２の内部に水が侵入することを防止している。これにより、ハンドル１２の内部のベース体１３に備えられた電装品に水が及ばないようにしている。
【００１８】
図１〜図３に示すように、ハンドル１２の長手方向Ｙの先端側Ｙ１には、ローラーユニット２０が設けられている。ローラーユニット２０は、２個のローラー２７１、２７２を備える。ローラー２７１、２７２は、一対のローラーシャフト２１１、２１２の先端２１１ａ、２１２ａにそれぞれ設けられている。
【００１９】
そして、図４、図５に示すように、一対のローラーシャフト２１１、２１２は、ユニットベース２３に形成された一対の円筒部２３１、２３２にそれぞれ挿通されている。一対のローラーシャフト２１１、２１２の基端２１１ｂ、２１２ｂは、円筒部２３１、２３２からそれぞれ露出している。一対のローラーシャフト２１１、２１２の基端２１１ｂ、２１２ｂには、縮径された括れ部２１３、２１４が設けられており、括れ部２１３、２１４のさらに基端側には、括れ部２１３、２１４よりも拡径された抜け止め頭部２１５、２１６が形成されている。
【００２０】
図６に示すように、ユニットベース２３には、一対の円筒部２３１、２３２の間にシャフトホルダ２２が配置されている。シャフトホルダ２２の両端部には、図４、図６に示すように一対のローラーシャフト２１１、２１２の括れ部２１３、２１４を押さえるための半円筒状の押さえ部２２１、２２２が形成されている。そして、図６に示すように、シャフトホルダ２２は、シャフトホルダ２２の押さえ部２２ａにより両一対のローラーシャフト２１１、２１２の括れ部２１３、２１４が押さえられた状態で、ネジ２２４（図４参照）によりユニットベース２３及び後述の後側ユニットカバー２４２に固定されている。これにより、図５に示すように、各一対のローラーシャフト２１１、２１２は、ユニットベース２３の支持筒２３１、２３２に嵌合した状態で支持されており、抜け止めされている。そして、図４に示すように、ユニットベース２３は、前側ユニットカバー２４１、後側ユニットカバー２４２に覆われている。前側ユニットカバー２４１、後側ユニットカバー２４２には、それぞれ半円筒状の支持筒カバー部２４１ａ、２４１ｂ、２４２ａ、２４２ｂが形成されており、一対の支持筒２３１、２３２を覆っている。
【００２１】
図４、図５に示すように、支持筒カバー部２４１ａ、２４１ｂ、２４２ａ、２４２ｂには、合成樹脂よりなる円筒状のキャップ２５が嵌着されている。キャップ２５より、支持筒カバー部２４１ａ、２４１ｂ、２４２ａ、２４２ｂ及び支持筒２３１、２３２がシールされるとともに、ローラーシャフト２１１、２１２のガタツキが防止されている。また、キャップ２５によって、ローラーユニット２０と後述するローラー２７１、２７２の外表面との間の電気絶縁性が確保されている。
【００２２】
図４に示すように、ローラーシャフト２１１、２１２には、ベアリング４０が取り付けられている。ベアリング４０は合成樹脂よりなり、円筒状をなしている。ベアリング４０は、図４、図５に示すように、その内側にローラーシャフト２１１、２１２が挿通されるとともに、ローラーシャフト２１１、２１２の先端２１１ａ、２１２ａ、に取り付けられたストップリング４１によりベアリングスペーサ４２を介して抜け止め固定されている。ベアリング４０の表裏両面を含む外側全面には金属メッキが施され、ベアリング４０とローラーシャフト２１１、２１２との間の導電が確保されている。また、金属メッキに代えて、ベアリング４０を導電性樹脂によって構成することにより両者の導電を確保してもよい。
【００２３】
図４、図５に示すように、ベアリング４０の外周面には、係止爪４３が径方向外方に突出形成されている。係止爪４３には、後述するローラー２７１、２７２の段差部２８１が係合する。また、ベアリング４０の端部には、径方向外方Ｙ１に拡径してなる拡径部４４が形成されている。そして、係止爪４３と拡径部４４との間に段差部２８１が位置している。段差部２８１は、係止爪４３及び拡径部４４に当接して、両者に挟持されている。これにより、ローラー２７１、２７２はローラーシャフト２１１、２１２に対する位置決めがなされるとともに、ローラー２７１、２７２のガタツキが低減されている。
【００２４】
図４、図５に示すように、ローラー２７１、２７２は、ローラーシャフト２１１、２１２に設けられたベアリング４０を介して、ローラーシャフト２１１、２１２にベアリング４０とともに回転可能に支持されている。図５に示すように、ローラー２７１、２７２は、合成樹脂よりなる芯材２６１と、芯材２６１の先端内周に嵌着された合成樹脂よりなるキャップ材２６２と、芯材２６１及びキャップ材２６２の外周に被覆成形された合成樹脂よりなる外被材２６３とから構成されている。外被材２６３の外表面には、導電部としての導電金属メッキが施され、ベアリング４０との間の導電が確保されている。芯材２６１の内側には、ベアリング４０が挿入配置される空間２８２が形成されている。そして、空間２８２の内壁面には、係止爪４３に係合可能な段差部２８１が形成されている。空間２８２にベアリング４０が挿入配置されて、係止爪４３が段差部２８１に係合されることにより、ローラー２７１、２７２がベアリング４０に対して抜け止めされている。
【００２５】
図６に示すように、ローラーユニット２０には、ローラーユニットシャフト３０が接続されるためのシャフト取付部２３３が形成されている。ローラーユニットシャフト３０は略棒状を成している。シャフト取付部２３３は、略円筒状を成しており、その内側にローラーユニットシャフト３０の先端３０１が挿通される。図７に示すように、ローラーユニットシャフト３０の先端３０１には、外周面にはねじ切りが施された雄ネジ部３０４が形成されている。雄ネジ部３０４の基端側Ｐ２には、ローラーユニットシャフト３０の外周面を縮径すると共に一部を切り欠いてＤ字型部３０５が形成されている。
【００２６】
そして、図４、図６に示すように、ローラーユニットシャフト３０がシャフト取付部２３３に挿通されて、雄ネジ部３０４及びＤ字型部３０５はシャフト取付部２３３から突出するとともに、ワッシャ３１及びナット３２が取り付けられている。図７に示すように、ワッシャ３１は内側形状がＤ字型部３０５に沿うＤ字型を成しているとともに、ワッシャ３１の厚さとＤ字型部３０５の高さが略同一となっている。これにより、ローラーユニットシャフト３０がシャフト取付部２３３に回転可能に抜け止め固定されている。そして、ワッシャ３１の内側形状がＤ字型部３０５に沿うＤ字型を成していることにより、ローラー２７１、２７２を回転させても、これに伴ってワッシャ３１が回転しない。そのため、ローラー２７１、２７２の回転力がナット３２に伝わらないことから、ローラー２７１、２７２の回転に伴うナット３２の緩みが防止される。さらに、図２に示すように、ローラーユニットシャフト３０の先端面３０１ａには、シャフトホルダ２２に形成された凸片２２３が当接している。これにより、ローラーユニットシャフト３０とシャフトホルダ２２の導電が確保されている。
【００２７】
図２に示すように、ローラーユニットシャフト３０の基端３０２にはネジ孔３０２ａが形成されている。ハンドル１２の先端の内部には、内面がローラーユニットシャフト３０の基端３０２の側面に沿った形状を有する筒状のローラーユニットシャフト取り付け部１２１が形成されている。そして、ローラーユニットシャフト３０の基端３０２がローラーユニットシャフト取り付け部１２１の内側に位置した状態で、ネジ１２２がネジ孔３０２ａに螺入されることにより、ローラーユニットシャフト３０がローラーユニットシャフト取り付け部１２１にねじ止め固定されている。すなわち、ローラーユニットシャフト３０の先端３０１側はローラーユニット２０に接続され、ローラーユニットシャフト３０の基端３０２側はハンドル１２の先端１２ａに接続されている。このようにして、ローラーユニット２０は、ハンドル１２の先端１２ａに回転可能に取り付けられている。そして、図７に示すように、ローラーユニットシャフト３０の基端３０２には、基端３０２の側面の一部を切り欠いた切り欠き面３０２ｂが形成されている。これにより、ローラーユニットシャフト３０の基端３０２が、ローラーユニットシャフト取り付け部１２１内で回転することが防止され、ネジ１２２の緩みが防止されている。
【００２８】
そして、図２、図４に示すように、ローラーユニットシャフト３０には、ねじりバネであるバネ３３が挿通されている。図２に示すように、バネ３３の一方の端部である第１端部３３１は、ユニットベース２３に形成された第１バネ係合部２３４に係合している。一方、バネ３３の他方の端部である第２端部３３２は、ハンドル１２の先端１２ａの内部に形成された第２バネ係合部１２５に係合している。これにより、ローラーユニット２０が所定の初期位置に戻るように付勢されている。本例では、ローラーユニット２０は、当該所定の初期位置を基準に−９０°〜９０°の範囲で回転することができる。
【００２９】
図２に示すように、ローラーユニットシャフト３０は、ローラーユニットシャフト３０の基端３０２から先端３０１に向かうにしたがってハンドル１２の長手方向Ｙの先端側Ｙ１に向かうように、ハンドル１２の長手方向Ｙに対して傾斜している。本例では、ローラーユニットシャフト３０とハンドル１２の長手方向Ｙにおける軸線１５とのなす角αは、１２５°となっている。
【００３０】
図５に示すように、一対のローラーシャフト２１１、２１２は同一平面Ｓ（図２参照）上に位置している。そして、図２に示すように、ローラーシャフト２１１、２１２は、ローラーユニットシャフト３０の軸線３０３に対して傾斜している。図５に示すように、一対のローラーシャフト２１１、２１２は先端２１１ａ、２１２ａが開くようにシャフトホルダ２２に保持されている。本例では、同一平面上における一対のローラーシャフト２１１、２１２のなす角は８０°となっている。
【００３１】
図３に示すように、ローラーユニットシャフト３０の軸線３０３の方向Ｐから見て、ローラーユニットシャフト３０の軸線３０３が、一対のローラー２７１、２７２の重心Ｇ１、Ｇ２を通る仮想直線ＧＬから離れた位置にある。すなわち、軸線３０３と仮想直線ＧＬとは交差していない。
【００３２】
図１及び図３に示すように、ハンドル１２の上面には、第１カバー体１４に透孔５１が形成されている。透孔５１には、透明な合成樹脂よりなる受光レンズ５２が図示しないシール材を介して嵌着されている。受光レンズ５２の内側（ハンドル１２の内部）において、ベース体１３に図示しない太陽電池パネルが配置されている。当該太陽電池パネルのプラス、マイナスの出力端子は、ハンドル１２の外表面の導電部及びローラーユニットシャフト３０に接続されている。シール材はハンドル１２内への水の侵入を防止している。
【００３３】
図２に示すように、本例の美容器１は、ハンドル１２を把持してローラー２７１（２７２）を肌面６０に当接させた状態で、ハンドル１２の長手方向Ｙに移動させて使用する。そして、肌面６０におけるローラー２７１との接触領域の中心位置６１とローラーユニットシャフト３０の軸線３０３と肌面６０との交点位置６２との距離がトレール長ＴＬとなる。
【００３４】
次に、本実施例の美容器１における作用効果について、詳述する。
本例の美容器１によれば、ローラーユニットシャフト３０の軸線方向Ｐから見て、ローラーユニットシャフト３０の軸線３０３からずれた位置にローラー２７１、２７２の重心Ｇ１、Ｇ２が位置することとなる。そのため、ローラー２７１、２７２を肌面６０に当接させる際に、ハンドル１２を過度に寝かせなくとも、トレール長ＴＬを大きくできる。そのため、ローラー２７１、２７２の直進安定性の向上が図られることから、手首を大きく捻ることなく、ローラー２７１、２７２を様々な方向に面する肌面６０に沿わせて直進させやすい。これにより、使い勝手が良くなるとともに、使用感が良好となる。また、ハンドル１２を肌面６０に対して過度に寝かせる必要がないため、ローラー２７１、２７２による肌面６０への押圧力を維持することができる。その結果、高いマッサージ効果が奏される。
【００３５】
また、本例では、ローラーユニット２０は、それぞれの先端２１１ａ、２１２ａにローラー２７１、２７２を回転可能に支持するとともに、先端２１１ａ、２１２ａが開くように設けられた一対のローラーシャフト２１１、２１２を備えている。これにより、ローラー２７１、２７２の回転軸となる一対のローラーシャフト２１１、２１２が先広がり状に配置されるため、一対のローラー２７１、２７２によって肌面６０を摘み上げることができ、高いマッサージ効果を奏する。さらに、ローラー２７１、２７２と肌面６０との密着性が一層高まるため、ローラー２７１、２７２と肌面６０とが密着した状態が維持されるように、ローラーユニット２０がローラーユニットシャフト３０を介して回転しやすくなる。その結果、当該美容器１を肌面６０に沿わせて動かしたときにおけるローラー２７１、２７２の追従性が向上する。
【００３６】
また、本例では、ローラーユニットシャフト３０の基端３０２側とハンドル１２とが接続され、ローラーユニットシャフト３０の先端３０１側とローラーユニット２０とが接続されている。そして、一対のローラーシャフト２１１、２１２は、同一平面上に位置しているとともに、ローラーユニットシャフト３０の軸線３０３に対して傾斜している。これにより、一対のローラー２７１、２７２を肌面６０に当てた状態で、肌面６０に平行な方向Ｕにおけるローラーユニットシャフト３０の先端側Ｕ１に動かすことにより、一対のローラー２７１、２７２によって肌面６０を押圧することができる。そして、一対のローラー２７１、２７２を肌面６０に当てた状態で、肌面６０に平行な方向Ｕにおけるローラーユニットシャフト３０の先端側Ｕ１と反対側の基端側Ｕ２に動かすことにより、肌面６０を摘み上げることができる。これにより、肌面６０の押圧及び摘み上げによる揉みほぐしの効果が得られ、一層高いマッサージ効果が奏される。
【００３７】
また、本例では、ハンドル１２は棒状を成しており、ローラーユニットシャフト３０は、ローラーユニットシャフト３０の基端３０２から先端３０１に向かうにしたがってハンドル１２の長手方向先端側Ｙ１に向かうように、ハンドル１２の長手方向Ｙに対して傾斜している。これにより、ハンドル１２を把持した状態で、ローラー２７１、２７２を肌面６０に押し当てやすくなり、使い勝手が良くなる。
【００３８】
以上のように、本例によれば、使い勝手が良く、良好な使用感が得られるとともに、高いマッサージ効果を奏する美容器１を提供することができる。
【００３９】
なお、変形例として、図８〜図１０に示す美容器１とすることもできる。当該変形例における美容器１は、図９に示すように、一対のローラーシャフト２１１、２１２は、同一平面Ｓ上に位置しているとともに、図１０に示すように、当該平面Ｓはローラーユニットシャフト３０と平行になっている。本例においても、トレール長ＴＬを十分大きくすることができるため、直進安定性が向上し、実施例１の場合と同等の作用効果が得られる。
【００４０】
（実施例２）
実施例１における美容器１はローラーユニット２０を１個備えていたが、実施例２における美容器１は、図１１に示すように一対のローラーユニット２０１、２０２を備える。一対のローラーユニット２０１、２０２はそれぞれ、実施例１におけるローラーユニット２０と同等の構成を有する。そして、一対のローラーユニット２０１、２０２に備えられる４個のローラー２７１、２７２、２７３、２７４の重心Ｇ１、Ｇ２、Ｇ３、Ｇ４は、同一平面上に位置することができるように構成されている。さらに、一対のローラーユニット２０１、２０２は、図１１に示すように、それぞれのローラーユニットシャフト３０の軸線が同一平面Ｓ１上に位置するように、ハンドル１２の中心を通る仮想直線Ｌ１を基準に対称に配置されている。図１２に示すように、本例ではそれぞれのローラーユニットシャフト３０の軸線３０３が同一平面上におけるなす角γは１２０°となっている。
【００４１】
本例の美容器１によれば、４個のローラー２７１〜２７４の重心Ｇ１〜Ｇ４が同一平面上に位置することができるように構成されていることにより、４個のローラー２７１〜２７４を肌面６０に同時に当接させることができる。そして、４個のローラー２７１〜２７４によって、肌面６０の揉みほぐし効果が奏されるため、高いマッサージ効果が得られる。さらに、一方のローラーユニット２０１に備えられるローラー２７１と、他方のローラーユニット２０２に備えられるローラー２７３との間においても肌の揉みほぐし効果が奏され、また、一方のローラーユニット２０１に備えられるローラー２７２と、他方のローラーユニット２０２に備えられるローラー２７４との間においても肌の揉みほぐし効果が奏されるため、一層高いマッサージ効果が得られる。なお、本例においても、実施例１の場合と同等の作用効果を奏する。
【００４２】
（実施例３）
実施例２における美容器１はローラーユニット２０を一対備えていたが、実施例３における美容器１は、図１３に示すように二対のローラーユニット２０１、２０２、２０３、２０４を備えている。二対のローラーユニット２０１、２０２、２０３、２０４はそれぞれ、実施例１におけるローラーユニット２０と同等の構成を有する。
【００４３】
そして、図１３に示すように、本例における二対のローラーユニット２０１、２０２、２０３、２０４のうち、一対のローラーユニット２０１、２０２におけるローラーユニットシャフト３０の軸線３０３は、ハンドル１２の一端側において、上面から見てハンドル１２の長手方向Ｙに直交する仮想直線Ｌ３上に位置するとともに、ハンドル１２の長手方向Ｙの中心線Ｌ２を基準に対称に配置されている。一方、他の一対のローラーユニット２０３、２０４におけるローラーユニットシャフト３０の軸線３０３は、ハンドル１２の他端側において、上面から見てハンドル１２の長手方向Ｙに直交する仮想直線Ｌ３上に位置するとともに、ハンドル１２の長手方向Ｙの中心線Ｌ２を基準に対称に配置されている。
【００４４】
図１４に示すように、本例の美容器１では、ローラーユニット２０１〜２０４はいずれも、ハンドル１２の長手方向Ｙ及び幅方向Ｘに直交する厚さ方向Ｚにおいて、ハンドル１２における受光レンズ５２が設けられる上面側Ｚ１と反対側の下面側Ｚ２に各ローラー２７１、２７２が位置するように設けられている。また、本例では、同一平面Ｓ３（図１３参照）上において、それぞれのローラーユニットシャフト３０の軸線３０３がなす角δは１００°となっている。
【００４５】
二対のローラーユニット２０１、２０２、２０３、２０４における８個のローラー２７１〜２７８は、それぞれの重心Ｇ１、Ｇ２が同一平面上に位置することができるように構成されている。そして、８個のローラー２７１〜２７８が同時に肌面６０に当接することができ、高いマッサージ効果が得られる。さらに、それぞれのローラーユニット２０１〜２０４においてローラーユニットシャフト３０を中心に回転することにより、使用者の身体の中で大きく湾曲する部位を８個のローラー２７１〜２７８が包み込むようにすることができる。これにより、肩などの肌面６０を効果的にマッサージすることができる。本例の美容器１においても、実施例１及び実施例２の場合と同等の作用効果を奏する。
【符号の説明】
【００４６】
１  美容器
１２  ハンドル
２０  ローラーユニット
２７１〜２７８  ローラー
２２１、２２２  ローラーシャフト
３０  ローラーユニットシャフト
３０３  軸線
Ｇ１〜Ｇ８  重心
ＧＬ  仮想直線
【図１】
2017119105.tif 000003
【図２】
2017119105.tif 000004
【図３】
2017119105.tif 000005
【図４】
2017119105.tif 000006
【図５】
2017119105.tif 000007
【図６】
2017119105.tif 000008
【図７】
2017119105.tif 000009
【図８】
2017119105.tif 000010
【図９】
2017119105.tif 000011
【図１０】
2017119105.tif 000012
【図１１】
2017119105.tif 000013
【図１２】
2017119105.tif 000014
【図１３】
2017119105.tif 000015
【図１４】
2017119105.tif 000016